(57)【要約】【課題】プランの自由度を向上させることができる軸組躯体構造と、プランを組み立てながら構造的に実現可能か否かを確認することが可能な軸組躯体の配置方法とを提供する。【解決手段】軸組躯体は、複数階建の工業化住宅に於ける梁勝ちの規格化された柱、梁を有する軸組躯体構造であって、直交する二方向のうちの何れか一方向の通りに該通りに於ける建物の寸法に対応する長さを有し通り芯に配置された梁と少なくとも２本の柱とからなり鉛直荷重を下階または基礎に伝える一次フレームを平行に少なくとも２組具え、各階のプランに従って、前記一次フレームと直交する方向には隣接する一次フレーム間の寸法に対応する長さを有する直交梁と、通り芯に追加柱を設け、直交梁及び追加柱は一次フレームに結合させる。【選択図】    図３
2008223226.tif 000002
【特許請求の範囲】
【請求項１】
複数階建の工業化住宅に於ける梁勝ちの規格化された柱、梁を有する軸組躯体構造であって、直交する二方向のうちの何れか一方向の通りに該通りに於ける建物の寸法に対応する長さを有し通り芯に配置された梁と少なくとも２本の柱とからなり鉛直荷重を下階または基礎に伝える一次フレームを平行に少なくとも２組具え、
各階のプランに従って、前記一次フレームと直交する方向には隣接する一次フレーム間の寸法に対応する長さを有する直交梁と、通り芯に追加柱を設け、
前記直交梁及び追加柱は一次フレームに結合されていることを特徴とする軸組躯体構造。
【請求項２】
一次フレームは予め設定された断面性能を有し、隣接する一次フレーム間に配置される直交梁どうし、追加柱どうしの間隔は、鉛直荷重と前記一次フレーム間の距離に応じて且つ前記各直交梁及び追加柱の予め設定された断面性能に応じた寸法範囲内にあることを特徴とする請求項１に記載した軸組躯体構造。
【請求項３】
複数階建の工業化住宅に於ける梁勝ちの規格化された柱と梁を有する軸組躯体を構造設計するに際し、
直交する二方向のうちの何れか一方向の通りに該通りに於ける建物の寸法に対応する長さを有し且つ予め設定された断面性能を有する梁と少なくとも２本の柱とからなり鉛直荷重を下階または基礎に伝える一次フレームを平行に且つ予め設定された寸法の範囲内で離隔させて平行に少なくとも２組配置し、
前記一次フレームと直交する方向に隣接する一次フレーム間の寸法に対応する長さを有する直交梁と通り芯に追加配置される追加柱とを各階のプランに従って配置するに際し、
隣接する一次フレーム間に配置される直交梁どうしの間隔及び追加柱どうしの間隔は、鉛直荷重と、前記一次フレーム間の距離に応じて且つ各直交梁及び追加柱の断面性能に応じた寸法の範囲内にあるようにし、
前記直交梁及び追加柱を一次フレームに結合させることを特徴とする軸組躯体の配置方法。
【請求項４】
一次フレーム間の距離に対する隣接する一次フレームの間に配置される直交梁どうしの間隔の最大寸法、及び追加柱どうしの間隔の最大寸法、の関係を、鉛直荷重及び一次フレーム間の距離及び直交梁と追加柱の断面性能をパラメータにしてパターンを複数作成しておき、このパターンを用いて一次フレーム及び直交梁と追加柱を配置することを特徴とする請求項３に記載した軸組躯体の配置方法。
【請求項５】
一次フレームの梁及び直交梁によって囲まれた領域外に形成され少なくとも一方向が一次フレームの梁又は直交梁を共用するサブグリッドを構成するに際し、該サブグリッドの寸法は隣接する一次フレームの間隔又は一次フレームに接続された隣接する直交梁間の間隔よりも小さくし、該サブグリッドの出隅部に通し柱を設けて該通し柱と隣接する一次フレームの梁及び、又は直交梁とを梁で接続することを特徴とする請求項３又は４に記載した軸組躯体の配置方法。
【請求項６】
請求項３乃至請求項５の何れかに記載した軸組躯体の配置方法を利用して軸組躯体を配置設計した後、建物全体の鉛直荷重計算を行うことを特徴とする工業化住宅の設計方法。
【発明の詳細な説明】
【技術分野】
【０００１】
本発明は工業化住宅に於ける梁勝ちの軸組躯体構造と、軸組躯体に於ける梁と柱の配置方法に関するものである。
【背景技術】
【０００２】
軸組躯体構造を持った工業化住宅は予め設定された性能を有する規格化された梁や柱を含む建築部材を用いて建築される。この工業化住宅では、顧客の要望に適応したプランが設計され、且つこのプランを実現するのに最適な建築部材が選択されると共にこれらの建築部材を組み合わせて設計される。
【０００３】
梁と柱とによって躯体を構成する軸組躯体構造では、直交する二方向に軸組を揃えて設計するのが一般的である。この軸組躯体構造では直交方向に設定された通り芯上に夫々直線的に梁が配置され、個々の梁の両端部に夫々通し柱が配置される。このような軸組躯体構造を持った建物では、柱位置によって間取りや部屋の大きさが限定されるため、プランの自由度が低いという問題がある。
【０００４】
しかし、特に住宅建築では顧客に豊富で且つ自由なプランを提供し得ることが好ましい。このため、プランの自由度を高くすることができる軸組躯体構造が提案されている。
【０００５】
例えば特許文献１に記載された技術は、上部階の柱と下部階の柱を分断するようにして、一本の梁が複数の柱間に跨って通し状に配置されるとともに、柱と梁で囲まれる空間には、要所要所にブレース構造の耐力壁を配置した躯体構造に関するものである。この技術では、一階の柱と二階の柱の位置は相互にズレていてもよく、従って、一階と二階の平面計画（プラン）の自由度が大きくなるという利点がある。
【０００６】
また特許文献２に記載された技術は、予め規格化された複数種の仮想立体を間取り配置すべき室内空間に応じて選択し、それらを並設及び積み重ねることにより仮想室内空間設計を行い、その後、設計された仮想室内空間に対して構造部材の割り付けを行って複数階建物を構成するものである。この技術では、意匠設計上の構造設計による制限を減らして自由度の高い設計を可能にすると共に、構造設計についての専門知識がなくても比較的容易に複数階建物を設計することができるという効果を有する。
【０００７】
【特許文献１】特許第３０６０２２６号公報
【特許文献２】特開２００３−３４３００７号公報
【発明の開示】
【発明が解決しようとする課題】
【０００８】
特許文献１に記載された技術は、一階と二階の柱の位置を相互にずらすことができるため、夫々の階に於けるプランの自由度を高くすることができる。しかし、二方向に交叉する梁の位置をずらすものではないため、一階から二階にかけての空間（吹き抜けや階段）を形成する際の自由度は充分に高いとはいえない。
【０００９】
また特許文献２に記載された技術は平面上のプラン及び上下階のプランの自由度が極めて高いという利点を有する。しかし、立体的なプランの自由度が向上したのに伴って構造計算が複雑化し、構造的に実現し得るか否かを検証するのに必ずコンピュータを用いて構造計算しなければ構造的安全性が確認できないという問題を有している。
【００１０】
本発明の目的は、プランの自由度を向上させることができる軸組躯体構造と、プランを組み立てながら構造的に略実現可能か否かを短時間で容易に確認することが可能な、またコンピュータを必要とすることなく手軽にプランを提案することが可能な軸組躯体の配置方法とを提供することにある。
【課題を解決するための手段】
【００１１】
上記課題を解決するために本発明に係る軸組躯体構造は、複数階建の工業化住宅に於ける梁勝ちの規格化された柱、梁を有する軸組躯体構造であって、直交する二方向のうちの何れか一方向の通りに該通りに於ける建物の寸法に対応する長さを有し通り芯に配置された梁と少なくとも２本の柱とからなり鉛直荷重を下階または基礎に伝える一次フレームを平行に少なくとも２組具え、各階のプランに従って、前記一次フレームと直交する方向には隣接する一次フレーム間の寸法に対応する長さを有する直交梁と、通り芯に追加柱を設け、前記直交梁及び追加柱は一次フレームに結合させたものである。
【００１２】
上記軸組躯体構造に於いて、一次フレームは予め設定された断面性能を有し、隣接する一次フレーム間に配置される直交梁どうし、追加柱どうしの間隔は、鉛直荷重と前記一次フレーム間の距離に応じて且つ前記各直交梁及び追加柱の予め設定された断面性能に応じた寸法範囲内にあることが好ましい。
【００１３】
また本発明に係る軸組躯体の配置方法は、複数階建の工業化住宅に於ける柱梁架構が梁勝ちに架構され、規格化された柱と梁を有する軸組躯体を構造設計するに際し、直交する二方向のうちの何れか一方向の通りに該通りに於ける建物の寸法に対応する長さを有し且つ予め設定された断面性能を有する梁と少なくとも２本の柱とからなり鉛直荷重を下階または基礎に伝える一次フレームを平行に且つ予め設定された寸法の範囲内で離隔させて平行に少なくとも２組配置し、前記一次フレームと直交する方向に隣接する一次フレーム間の寸法に対応する長さを有する直交梁と通り芯に追加配置される追加柱とを各階のプランに従って配置するに際し、隣接する一次フレーム間に配置される直交梁どうしの間隔及び追加柱どうしの間隔は、鉛直荷重と、前記一次フレーム間の距離に応じて且つ各直交梁及び追加柱の断面性能に応じた寸法の範囲内にあるようにし、前記直交梁及び追加柱を一次フレームに結合させることを特徴とするものである。ここで、構造設計とは柱や梁の荷重、外力に対する許容応力度を満足する設計をいう。
【００１４】
上記軸組躯体の配置方法に於いて、一次フレーム間の距離に対する隣接する一次フレームの間に配置される直交梁どうしの間隔の最大寸法、及び追加柱どうしの間隔の最大寸法、の関係を、鉛直荷重及び一次フレーム間の距離及び直交梁と追加柱の断面性能をパラメータにしてパターンを複数作成しておき、このパターンを用いて一次フレーム及び直交梁と追加柱を配置することが好ましい。
【００１５】
また上記何れかの軸組躯体の配置方法に於いて、一次フレームの梁及び直交梁によって囲まれた領域外に形成され少なくとも一方向が一次フレームの梁又は直交梁を共用するサブグリッドを構成するに際し、該サブグリッドの寸法は隣接する一次フレームの間隔又は一次フレームに接続された隣接する直交梁間の間隔よりも小さくし、該サブグリッドの出隅部に通し柱を設けて該通し柱と隣接する一次フレームの梁及び、又は直交梁とを梁で接続することが好ましい。
【００１６】
ここで、サブグリッドとは、一次フレームの梁及び直交梁によって囲まれた領域外に形成され少なくとも一方向が一次フレームの梁又は直交梁を共用する梁を有する領域である。
【００１７】
また本発明に係る工業化住宅の設計方法は、上記何れかの軸組躯体の配置方法を利用して軸組躯体を配置設計した後、建物全体の鉛直荷重計算を行うことを特徴とするものである。
【発明の効果】
【００１８】
本発明に係る軸組躯体構造（以下、「軸組構造」という）では、建物の平面に設定された直交二方向（ｘ、ｙ方向）のうち何れか一方の通りを選択し、少なくとも二つの通り芯に夫々の通りに於ける建物の寸法と一致した長さを有する梁とこの梁の両端部或いは両端部の近傍に配置された柱とからなり鉛直荷重を下階又は基礎に伝える一次フレームを配置し、これらの一次フレームの梁に対して直交する方向に直交梁と、一次フレームが配置された通り芯に配置される追加柱と、を夫々平面プラン及び上下のプランに従って配置するので、プランの自由度を向上することができる。
【００１９】
即ち、隣接する一次フレームの間の如何なる位置に直交梁を配置することも可能であり、一次フレームによって規定された上下空間内であれば吹き抜けや階段等を所望の位置に配置することもできる。また追加柱は一次フレームが配置された通り芯上であれば如何なる位置に配置することも可能であり、一次フレームを跨ぐ大きな平面空間を構成することもできる。従って、平面プラン及び上下のプランの自由度を向上させることができる。
【００２０】
上記軸組構造に於いて、一次フレームを構成する梁と柱が夫々予め設定された断面性能、即ち工業化住宅で使用を指定された断面性能を有することによって、一次フレーム間の距離に対応した長さを持った直交梁どうしの間隔、一次フレームの梁の通り芯に配置される追加柱どうしの間隔、の最大寸法を、隣接する一次フレーム間の距離に応じて且つ各直交梁及び追加柱の断面性能に応じて、更には作用する鉛直荷重の大きさに対応させて設定しておくことができる。
【００２１】
即ち、予め設定された断面性能を有する一次フレームの梁と柱に対し、一次フレームの間隔、作用する鉛直荷重、並びに各直交梁及び追加柱の断面性能をパラメータにして直交梁間隔最大寸法、追加柱間隔最大寸法を設定しておくことができる。
【００２２】
従って、隣接する一次フレーム間に配置された直交梁と、一次フレームの通り芯に配置された追加柱とが一致した位置に配置されていなくとも、直交梁どうしの間隔が予め設定された直交梁間隔最大寸法よりも小さい寸法であり、一次フレームの通り芯に配置された柱と追加柱との間隔或いは追加柱どうしの間隔が追加柱間隔最大寸法よりも小さい寸法であれば、構造上略安全な躯体を構成することができる。
【００２３】
一次フレームの柱間間隔に対する隣接する一次フレームの間に配置される直交梁どうしの間隔の最大寸法、及び追加柱どうしの間隔の最大寸法、の関係を、鉛直荷重及び一次フレーム間の距離及び直交梁と追加柱の断面性能をパラメータにしてパターンを複数作成しておき、このパターンを用いて一次フレーム及び直交梁と追加柱を配置する配置方法（以下、「配置方法」という）では、構造設計の知識のない営業マンと顧客とが対面してプランを組み立てながら、このプランを実現する軸組躯体を配置してゆくことができる。そして、配置された軸組躯体によって合理的な軸組構造を略実現することができ、プランに沿った間取りを容易にきめていくことができる。
【００２４】
特に、一次フレームの間隔、作用する鉛直荷重、並びに各直交梁及び追加柱の断面性能に応じて、直交梁間隔最大寸法、追加柱間隔最大寸法を設定しておくことができるので、隣接する一次フレームの間に配置される直交梁どうしの間に於ける直交梁最大間隔寸法、一次フレームの通り芯に配置される追加柱どうしの間に於ける追加柱間隔最大寸法のパターンを作成しておき、このパターンを用いて、プランに従って直交梁どうしの間隔を設定して配置すると共に、追加柱どうしの間隔を設定して配置することで、配置された直交梁、追加柱は構造上の合理性を発揮し、構造上略安全な軸組構造を配置することができる。
【００２５】
また一次フレームの梁、直交梁によって囲まれた領域外にサブグリッドを構成する際に、該サブグリッドの寸法を一次フレームの間隔、或いは隣接する直交梁の間隔よりも小さい寸法とし、出隅部に通し柱を設けて、該通し柱と一次フレームの梁、直交梁を接続することで、一次フレームの梁と直交梁とによって区画された領域の外側にサブグリッドを構成して柔軟性のあるプランを実現することができる。
【００２６】
また本発明の設計方法では、上記の如き本発明の配置方法によって軸組躯体を配置設計した後、建物全体の鉛直加重に対する計算を行うことで、軸組躯体の構造計算を行うことができ、構造の安全を保証することができる。
【発明を実施するための最良の形態】
【００２７】
以下、本発明に係る軸組構造と、軸組躯体を構造設計するに際しこの軸組構造を実現する配置方法の最も好ましい実施形態について説明する。本発明の軸組構造はプランの自由度を向上させることを実現したものである。また配置方法は、直交梁、追加柱を自由に容易に配置できプランの自由度を向上させることができ、特に、前述した一次フレームの柱間間隔に対する隣接する一次フレームの間に配置される直交梁どうしの間隔の最大寸法、及び追加柱どうしの間隔の最大寸法、の関係を、鉛直荷重及び一次フレーム間の距離及び直交梁と追加柱の断面性能をパラメータにして作成したパターン、及び隣接する一次フレームの間に配置される直交梁どうしの間に於ける直交梁最大間隔寸法、一次フレームの通り芯に配置される追加柱どうしの間に於ける追加柱間隔最大寸法のパターン、を用いることで、構造設計の専門知識を有することのない営業マンが顧客と対面しながら、構造的に実現し得るプランを提案することを可能としたものである。このため、本発明の軸組構造を基本にふまえて、顧客と対面してプランを提案しながら本発明の配置方法を実施することによって、プランの設計と同時に合理的な且つ構造的に略安全な躯体を構成することが可能である。
【００２８】
本発明は、複数階建の工業化住宅に於ける梁勝ちの軸組構造を対象としている。工業化住宅は予め規格化された建築部材を用いて建築されるものであり、軸組躯体は規格化された梁と柱を組み合わせて構成される。規格化された梁と柱は夫々規格毎に、許容し得る剪断応力や曲げ応力、軸応力、撓み量等を満足する断面形状や寸法及び材質等の断面性能が設定される。
【００２９】
本発明の軸組構造及び配置方法に用いられる梁と柱は、規格化され且つ予め設定された断面性能を有するものであれば利用することが可能であり、断面形状や寸法及び材質を限定するものではない。例えば鋼製のＨ形鋼を利用した梁や、鋼製の角形鋼を利用した柱があり、いずれも好ましく利用することが可能である。
【００３０】
規格化された梁では、作用する荷重に応じた長さ（梁を支持する柱の間隔、追加柱最大間隔寸法）が設定される。また規格化された柱では、支持し得る荷重の大きさが設定される。
【００３１】
従って、特定の断面性能を持った梁と、この梁の長さ（柱間隔）を設定したとき、前記梁に於ける支持し得る荷重の大きさが設定される。このため、前記梁を配置する部位（例えば居室部分に対応する梁か屋根部分に対応する梁）に応じて配置すべき数が設定され、これに伴って間隔（梁が一次フレームの梁の場合一次フレームの間隔、梁が直交梁の場合直交梁最大間隔寸法）が設定される。
【００３２】
従って、選択された梁に於ける支持し得る荷重の大きさと柱間隔、梁どうしの間隔、の関係を予めパターン化して設定しておくことで、個々の構造計算を行うことなく、安全性を確保した軸組構造を設定することが可能である。
【００３３】
本発明の軸組構造は、上記の如き予め断面性能が設定されて規格化された梁と、この梁の両端部或いは両端近傍に配置された２本の柱と、によって一次フレームを構成し、これを基にして、少なくとも２組の一次フレームを平行に配置し、これらの一次フレームを複数の直交梁によって接続すると共に、一次フレームに追加柱を配置して接続することで構成されている。
【００３４】
また本発明の配置方法は、一次フレームと、隣接する一次フレームの間を接続する直交梁と一次フレームの梁の直下に配置される追加柱と、をプランに従って配置する際に、直交梁どうしの間隔を直交梁最大間隔寸法の範囲内に、一次フレームの柱と追加柱との間隔及び追加柱どうしの間隔を追加柱最大間隔寸法の範囲内に設定することで、上記軸組構造を実現するものである。
【００３５】
一次フレームは目的の建物に設定された直交二方向のうちの何れか一方の通りであって少なくとも二つの通りに配置され、鉛直加重を下階又は基礎（以下「下部構造」という）に伝える機能を有している。このため、目的の建物が複数階で構成されている場合、上階に配置された一次フレームは下階の一次フレームに、下階の一次フレームは基礎の上部に配置される。
【００３６】
隣接する一次フレームの間に配置される直交梁は上部に配置された床面或いは屋根面に作用する荷重を一次フレームの梁に伝える機能を有する。このため、直交梁の上部には鉛直荷重が作用する柱が配置されることはない。しかし、建物に作用する水平荷重に対抗するための耐力壁が配置されることはある。
【００３７】
本発明に於いて、建物に配置する一次フレームの数は限定するものではなく、少なくとも２組の一次フレームが配置されれば良い。しかし、一次フレームの間隔は直交梁の長さと一致することから無制限に大きくし得るものではなく、後述する追加柱に設定される追加柱最大間隔寸法と同じ程度の寸法範囲で配置されることが好ましい。
【００３８】
一次フレームを構成する梁の長さは特に限定されるものではなく、建物の寸法に対応させた長さに設定される。前述したように、梁は予め設定された断面性能と作用する鉛直荷重の大きさに応じた長さが設定されることから、設定された長さの範囲内で支持することが必要となる。
【００３９】
特に、建物の寸法に対応させた一次フレームを構成する梁の長さを長くすることが必要な場合、必要となる長さを満足させる数の鉄骨を長手方向に接続することで、一本の梁を構成すれば良い。
【００４０】
一次フレームを構成する梁の全長が大きくなるのに伴って、作用する鉛直荷重も増大する。このため、一次フレームを構成する２本の柱の間に所要数の追加柱を配置し、一次フレームの柱と追加柱との間隔、或いは追加柱どうしの間隔が予め設定された長さ（追加柱最大間隔寸法）の範囲内になるように配置して梁と接続することで、一次フレームに作用する鉛直荷重を下部構造に伝えることが可能である。
【００４１】
一次フレームに配置される追加柱の位置が直交梁が接続される位置であると、該直交梁から伝えられた荷重を直接支持することが可能となり好ましい。しかし、一次フレームを構成する梁の断面性能から必ずしも直交梁の接続位置に一致させて追加柱を配置する必要はない。
【００４２】
即ち、一次フレームに配置される追加柱は隣接する柱や追加柱との間隔が、予め設定された追加柱最大間隔寸法の範囲内であれば良い。このため、一次フレームの梁に対する追加柱の配置位置は、前記寸法の範囲内での自由度が生じることとなり、一次フレームを跨ぐような空間を構成しようとしたとき、この空間に追加柱が干渉する場合、干渉する追加柱を目的の空間の輪郭線の位置まで移動させることが可能である。即ち、追加柱をプランに従って配置することで、一次フレームを跨いで構成された大きな平面空間を実現することが可能である。
【００４３】
一次フレームを構成する柱は、該一次フレームの梁の両端部或いは両端部の近傍に配置される。即ち、建物に於ける一次フレームの配置位置がキャンティベランダを構成するような場合、下階を構成する柱は梁の端部にあってはならず、該梁の端部の近傍に配置されることとなる。この場合、柱の梁の端部からの離隔寸法は特に限定するものではなく、上階のキャンティ部分の出寸法に対応した位置に配置される。
【００４４】
平行に配置された２組の一次フレームの間に直交梁が配置され、この直交梁の両端を一次フレームの梁に接合することで軸組構造が構成される。直交梁は上部に敷設された床又は屋根に作用する荷重を一次フレームの梁に伝える機能を有するものであり、該直交梁の長さや数は、設定された断面性能と前記した荷重の大きさとに応じて設定される。このようにして設定された直交梁の長さが隣接する一次フレームの間隔となる。
【００４５】
直交梁の上部又は下部には鉛直荷重を支持する柱が配置されることはない。従って、隣接する一次フレームの間の平面に広い空間を実現することが可能となる。また、直交梁を如何なる位置に配置して一次フレームの梁に接続しても躯体の構造に影響を与えることがない。従って、直交梁は、該直交梁の上部に構成される階層のプランに応じて配置することが可能となる。
【００４６】
即ち、プランに例えば階段や吹き抜け等の下階と上階とを連続させる空間が存在する場合、この空間を避けて直交梁を配置することが可能となり、上下方向に連続するプランの自由度を向上させることが可能となる。
【００４７】
一次フレームは、予め断面性能が設定され、即ち工業化住宅で使用を指定された断面性能で規格化された梁と、この梁の両端部或いは両端近傍に配置された２本の柱と、によって構成され、これを基にして、階数の違いを主とした鉛直荷重の目安となる荷重を設定することによって、予め追加柱どうしの最大間隔寸法、直交梁どうしの最大間隔寸法のパターンを設定しておくことが可能である。このパターンは一次フレーム間隔、鉛直荷重の大きさ、直交梁や追加柱の断面性能に応じて複数設定される。
【００４８】
上記パターンは微少な寸法や形式を設定する必要はない。特に、寸法は建物に設定されたモジュール寸法の整数倍の寸法で設定しておくことが好ましい。このような数値として、モジュール寸法を約３００ｍｍとしたとき、１８（約１８００ｍｍ）、２７（約２７００ｍｍ）、３６（約３６００ｍｍ）、４５（約４５００ｍｍ）、５４（約５４００ｍｍ）等が、作用する鉛直荷重との関係で選択的に設定される。
【実施例１】
【００４９】
先ず、上記の如き機能を持った一次フレーム及び直交梁と追加柱とからなる本発明の軸組構造と配置方法について図を用いて説明する。図１は２階建ての建物に於ける軸組構造を説明する図である。図２は複数階建ての建物に設定された追加柱最大間隔寸法のパターンを説明する図である。
【００５０】
本実施例に係る軸組構造では、図１（ａ）に示すように、予め目的の建物に設定された直交する二方向の通り（ｘ方向（建物の幅方向、奥行き方向）、ｙ方向（建物の長さ方向、左右方向））のうち、一方向（例えばｘ方向）に３カ所の通り（Ｘ０、Ｘ１、Ｘ２）を選択し、夫々の通り芯に、該通りに於ける建物の寸法（建物の幅寸法）に一致した寸法を有する梁１、２を直線的に配置する。
【００５１】
本発明の軸組構造では、建物が複数階にわたるような場合であっても、選択された通りＸ１〜Ｘ３は各階に共通しており、梁１、２は同じ通りに配置される。
【００５２】
同図（ｂ）に示すように、梁１、２の両端部又は端部近傍（本実施例では両端部分）に夫々柱３を配置して梁１、２と接続することで、鉛直荷重を支持する一次フレームＡ、Ｂを構成する。特に、上階に配置された一次フレームＡ、Ｂの柱３は下階に配置された一次フレームＡの梁１に接続され、下階に配置された一次フレームＡの柱３は図示しない基礎に接続される。一次フレームＡ、Ｂをこのように接続することによって、梁１、２に作用する鉛直荷重を下部構造に伝えることが可能である。
【００５３】
ｘ方向に配置された隣接する一次フレームＡの梁１に対し、ｙ方向の直交梁５、６を配置して接続する。直交梁５はｘ方向に配置された隣接する一次フレームＡの梁１、２の両端部（Ｙ０、Ｙ５）に夫々配置されて接続される。また、直交梁６は一次フレームＡ、Ｂの中間部分（Ｙ１〜Ｙ４）に対し、一次フレームＡ、Ａ、一次フレームＡ、Ｂ間の面積及びプランに従って配置されて接続される。
【００５４】
特に、直交梁６は下階から上階にわたって連続する空間（例えば階段や吹き抜け、或いはエレベータ等）が存在する場合、この空間を避けた部位に配置される。
【００５５】
一次フレームＡ、Ｂに追加柱７を配置するに際し、図２に示すように設定されたパターンが用いられる。この図は、隣接する一次フレームＡ、Ｂの間隔を約４５００ｍｍに設定したとき、個々の一次フレームＡ、Ｂに配置する追加柱７の追加柱最大間隔寸法を設定したものである。
【００５６】
同図（ｂ）は２階建ての建物の１階と２階に配置された一次フレームＡ、Ｂに於ける追加柱７の配置パターンを示すものである。図に示すように、追加柱７と一次フレームＡ、Ｂを構成する柱３との間に設定された追加柱最大間隔寸法は４５であり、この寸法の範囲内であれば如何なる位置にも配置することが可能である。
【００５７】
しかし、一次フレームＡの長さが約９０００ｍｍであり、追加柱７が一方側の柱３（例えば図の左側の柱３）から約３６００ｍｍの位置に配置されているような場合、該追加柱７から他方側の柱３までの寸法が約５４００ｍｍになるため、追加柱最大間隔寸法である４５を越えることとなり、この間に更に追加柱７を配置することが必要となる。
【００５８】
また同図（ａ）は３階建ての建物の各階に配置された一次フレームＡ、Ｂに於ける追加柱７の配置パターンを示すものである。図に示すように、１、２階に配置された一次フレームＡに於ける左側の最大間隔寸法４５と記してある部分では、該部分を構成する両側の柱、即ち一次フレームＡの柱３と追加柱７が夫々同一箇所に配置されており、従って、夫々の柱３と追加柱７が通し柱になっている。また３階の上記以外に対応する部位では、１階と２階共に追加柱最大間隔寸法は３６として設定されており、この場合追加柱７は各階毎に自由な部位に配置されている。更に、３階に配置された一次フレームＢでは追加柱最大間隔寸法は４５に設定されている。
【００５９】
上記の如く、追加柱７はＸ方向に配置された一次フレームＡ、Ｂの通り芯に対し、プランに従って、且つＹ方向に配置された直交梁６の一次フレームＡ、Ｂの梁１、２に対する接続位置に関わらず、前述した追加柱最大間隔寸法の範囲内にあるように設定される。
【００６０】
上記追加柱最大間隔寸法が、梁（一次フレームの梁１、２）の断面性能に基づいて設定された数値であるため、追加柱７を隣接する柱３或いは追加柱７に対し、前記した寸法の範囲内の間隔を持って配置することによって、軸組の強度を保証することが略可能となる。従って、建物の階層毎に設定された追加柱最大間隔寸法を遵守して追加柱７を配置することによって、強度を満足した軸組構造を構成することが可能である。
【００６１】
上記の如くして各階毎の軸組を設定した後、図１（ｃ）に示すように、１階の軸組の上部に２階の軸組を載置することで、目的の建物の軸組構造が構成される。
【００６２】
上記の如く、予め設定された通り芯（Ｘ０〜Ｘ２）に配置された一次フレームＡ、Ｂの位置を固定することで、隣接する一次フレームＡ、Ｂ間の間隔を設定することが可能である。このように、一次フレームＡ、Ｂの梁１、２の位置が固定されることから、該梁１、２に干渉するような上下階を関連付けるプラン（例えば階段や吹き抜け）を設けることはできないものの、隣接する一次フレームＡ、Ｂ間に配置される直交梁６は、プランに従って配置することが可能である。例えば、隣接する一次フレームＡ、Ｂ間にこれらの間隔の寸法範囲内で吹き抜けを構成する場合、この吹き抜けの位置を優先させ、該吹き抜けの縁に沿って直交梁６を配置することで実現することが可能である。
【００６３】
即ち、本発明の軸組構造では、一次フレームＡ、Ｂによって鉛直荷重を下部構造に伝えるため、隣接する一次フレームＡ、Ｂの間に配置される直交梁５、６は、該直交梁５、６に作用する荷重を梁１、２に伝える機能のみを有する。このため、前記機能を発揮し得る範囲で直交梁６を自由に配置することが可能となり、これにより、一次フレームＡ、Ｂ間の範囲で建物の上下方向のプランの自由度を略制限なく向上させることが可能となる。
【００６４】
また、一次フレームＡ、Ｂの通り芯（Ｘ０〜Ｘ２）に配置される追加柱７は、必ずしも一次フレームＡ、Ｂの梁１、２に対する直交梁６の接続位置と一致させる必要はなく、目的の階のプランに従って配置される。即ち、追加柱７は、一次フレームＡ、Ｂの通り芯上という制限を有するものの、この制限の範囲内で自由に位置を設定することが可能である。このため、同一平面内で一次フレームＡ、Ｂを跨ぐような空間を実現することが可能となり、平面プランの自由度を向上させることが可能となる。
【実施例２】
【００６５】
次に上記の如き軸組構造を適用した建物の構成について図を用いて説明する。図３は本実施例の軸組構造を持った建物の構成を説明する図である。図に於いて、（ａ１）は１階のプランを説明する図であり（ａ２）は基礎構造を説明する図である。また、（ｂ１）は２階のプランを説明する図であり（ｂ２）は軸組構造を説明する図である。更に、（ｃ１）は３階のプランを説明する図であり（ｃ２）は軸組構造を説明する図である。また（ｄ）は屋根の軸組構造を説明する図であり、（ｅ）は建物の外観斜視図である。
【００６６】
図に示す建物は、Ｘ方向にＸ０〜Ｘ４の通りが設定されており、Ｘ０〜Ｘ２に同じ構造の一次フレームＡ（一次フレームＡ０〜Ａ２）が配置され、Ｘ４の通りには一次フレームＡよりも短い一次フレームＢが配置されている。一次フレームＡ０と一次フレームＡ１との間隔、及び一次フレームＡ１と一次フレームＡ２との間隔は３６（約３６００ｍｍ）に設定され、一次フレームＡ２と一次フレームＢとの間隔は１８（約１８００ｍｍ）に設定されている。
【００６７】
本実施例では、１階、２階共に同じ寸法を持った一次フレームＡ、Ｂが配置されると共に、１階の一次フレームＡ、Ｂの上部に載置され、夫々上階の一次フレームＡ、Ｂは下階の一次フレームＡ、Ｂに、下階の一次フレームＡ、Ｂは基礎１１に接続されて作用する鉛直荷重を下部構造に伝えるように構成されている。
【００６８】
またＹ方向にＹ０〜Ｙ５の通りが設定されている。本実施例ではＹ０〜Ｙ５の間隔は約９０００ｍｍに設定されている。またＹ１〜Ｙ４の間隔は同じ寸法ではなく、一次フレームＡ０〜Ａ２、Ｂの間に配置される直交梁６の位置に対応して設定されている。
【００６９】
Ｙ０の通りには一次フレームＡ０〜一次フレームＡ２に連続して直交梁５が配置されて夫々の一次フレームＡ０〜Ａ２の梁１の端部を接続しており、Ｙ２の通りには一次フレームＢの梁２の端部に配置された直交梁５が隣接する一次フレームＡ２の梁１に接続されている。Ｙ５の通りには一次フレームＡ０〜一次フレームＢの間に連続して直交梁５が配置されて夫々の一次フレームＡ０〜Ａ２及び一次フレームＢの梁１、２の端部を接続している。
【００７０】
１階のプランについて説明する。同図（ａ１）に示すように、一次フレームＡ０とＡ１との間の空間は一つの大きな部屋２１が構成されている。また一次フレームＡ１とＡ２との間には部屋２２と階段２３、キッチン２４が構成されている。更に、一次フレームＡ２とＢとの間には水周り２５、廊下２６が一次フレームＡ２に跨って構成されており、且つ玄関２７が構成されている。
【００７１】
玄関２７の屋外側にはポーチ２８が構成され、該ポーチ２８の一部にサブグリッド４１が配置されている。サブグリッド４１は１階から２階にかけて構成され、Ｘ方向に沿った側は一次フレームＡ２の一部を共用し、Ｙ方向に沿った側は一次フレームＡ２とＢを接続する直交梁５を共用している。従って、サブグリッド４１はポーチ２８によって構成される面積よりも小さく、このポーチ２８を構成する面からはみ出すことのない寸法で構成されている。
【００７２】
サブグリッド４１の出隅部には１階から２階にかけて貫通する通し柱４２が配置されており、この通し柱４２と一次フレームＡ２との間にサブグリッド梁４３が配置されて両者を接続すると共に、直交梁５との間にはサブグリッド梁４４が配置されて両者を接続している。
【００７３】
次に、２階のプランについて説明する。同図（ｂ１）に示すように、一次フレームＡ０、Ａ１の間には二つの部屋２９と３階への階段２３が構成されている。また一次フレームＡ１、Ａ２の間には階段２３に沿って１階との吹き抜け３０が構成され、該吹き抜け３０の南側に一次フレームＡ１を跨ぐと共に一次フレームＡ２を跨いでサブグリッド４１側に至るロッジア３１が構成され、該ロッジア３１に連続して一次フレームＡ１、Ａ２の間の範囲でキャンティベランダ３１ａが構成されている。
【００７４】
また一次フレームＡ２とＢとの間にはホール３２が構成されている。このホール３２はポーチ２８の上部に対応する部位がキャンティ状に構成されている。更に、一次フレームＡ１、Ａ２を跨いでＹ方向に廊下２６が構成されており、一次フレームＡ２を跨いで一次フレームＡ１とＢとの間に大きな面積を持った部屋３３が構成されている。
【００７５】
また同図（ｃ１）に示すように、３階には一つの大きな部屋３５が構成されている。また本実施例では、屋根は切り妻屋根３６として構成されている。従って、３階部分には一次フレームが配置されることはなく、同図（ｄ）に示すように中心となる棟梁５１と、この棟梁５１にかけられた複数の勾配梁５２が配置されている。
【００７６】
上記の如き各階のプランは、営業マンが顧客と対話しつつ組み立ててゆくことが可能である。
【００７７】
そして、このプランを実現するために、同図（ｂ２）に示すように、１階に配置された一次フレームＡ０、Ａ１の間には通りＹ３に一致した位置に直交梁６を配置し、Ｘ０の通り芯に於けるＹ３との交点に追加柱７を配置する。Ｙ０からＹ３までの寸法は約４５００ｍｍに設定され、Ｙ３からＹ５までの寸法も約４５００ｍｍに設定されている。このため、図２の（ｂ）に示す追加柱最大間隔寸法４５を満足する。
【００７８】
一次フレームＡ１、Ａ２の間には、吹き抜け吹き抜け３０を実現するために該吹き抜け３０に沿って通りＹ４に直交梁６を配置し、ロッジア３１を実現するために該ロッジア３１に沿って通りＹ１にも直交梁６を配置する。またＸ１の通り芯とＹ３との交点（階段２３の部屋２２側の隅部）に追加柱７を配置すると共にＹ２との交点に追加柱７を配置する。一次フレームＡ１に配置された追加柱７も追加柱最大間隔寸法４５を満足する。
【００７９】
またＸ２の通り芯とＹ４との交点（吹き抜け３０に沿って配置された直交梁６の位置）及びＹ２との交点（一次フレームＢとを接続する直交梁５の位置）に夫々追加柱７を配置する。Ｙ４からＹ５までの寸法は約３６００ｍｍであり、Ｙ０からＹ２までの寸法は約２１００ｍｍ、従ってＹ２からＹ４までの寸法は約２４００ｍｍとなり、一次フレームＡ１に配置された追加柱７も追加柱最大間隔寸法４５を満足する。従って、１階と２階のプランを満足することになる。
【００８０】
また同図（ｃ２）に示すように、２階に配置された一次フレームＡ０、Ａ１の間には通りＹ３に一致した位置に直交梁６を配置し、Ｘ０の通り芯に於けるＹ３との交点に追加柱７を配置する。この場合、１階に配置された一次フレームＡ０と同じ位置に追加梁７を配置する。
【００８１】
一次フレームＡ１、Ａ２の間には通りＹ３に一致した位置に直交梁６を配置し、Ｘ１の通り芯に於けるＹ３との交点に追加柱７を配置する。従って、一次フレームＡ１に配置された追加柱７は１階から２階にかけて連続した通し柱としての機能を有する。
【００８２】
一次フレームＡ２、Ｂの間には通りＹ４に一致した位置に直交梁６を配置すると共に、ポーチ２８の上部には一次フレームＢの梁２から延長された梁４７と、サブグリッド４１のサブグリッド梁４３から延長されたキャンティ梁４８が配置されている。
【００８３】
Ｘ２の通り芯に於けるＹ４との交点、及びＹ１との交点に夫々追加柱７を配置する。またＸ４の通り芯に於けるＹ４との交点に追加柱７を配置する。Ｙ４からＹ５までの寸法は約３６００ｍｍであり、Ｙ０からＹ１までの寸法は約１２００ｍｍ、従ってＹ１からＹ４までの寸法は約４２００ｍｍとなり、一次フレームＡ２に配置された追加柱７も追加柱最大間隔寸法４５を満足する。
【００８４】
上述の如く、住宅などの建物の間取り設計（意匠設計）の設計作業中や設計作業後、本発明に係る軸組躯体の配置（柱梁の部材の割り付け）方法を用いて構造設計を行えば、建物の軸組を構成する柱、梁の許容応力度設計を行うことが容易になる。
【００８５】
即ち、柱、梁に生じる応力がほぼ確実に許容範囲内になるので、構造設計のやり直しなどの手戻りがほとんど発生しない。例えば、コンピュータを用いた住宅の設計ＣＡＤシステムを使用して、図３（ａ１）〜（ｃ１）にような間取り（外壁、間仕切り、開口部、屋根、ベランダなど部位や部屋や意匠部材）を入力し、その部位や部材の領域の座標情報に基いて、同間取りに応じた柱・梁部材、床、壁パネルを配置し（軸組躯体を構成する構造部材の割り付け：図３（ａ２）〜（ｃ２）、（ｄ））、各構造部材のＸ、Ｙ方向座標（平面位置情報）やＺ方向座標（高さ位置、または設置階情報）のハードウェア（ＣＰＵやプログラム）に認識させる。
【００８６】
そして、この軸組み躯体の許容応力度計算のプログラムの実行をすることによって、構造的な安全性を確認するに先だって、本発明に係る配置方法の配置パターンに適合するか否かを判定する判定プログラムを実行し、判定情報により許容応力度計算を行う前にパターン適合性を充たすように柱、梁の再配置を入力するように警告情報を表示にすれば、許容応力度計算過程における手戻りがなくなるため、構造設計が円滑に進めれらるという有利な効果がある。
【００８７】
ここで、判定プログラムによる適合性判定は、配置基準パターン情報を複数記憶するするデータベースを用意しておき、設計された建物の通り間の間隔寸法（スパン）や柱、梁の座標を取り出して座標値を照合し、柱間隔の最大値以下になっているか否かを判定するものである。
【００８８】
処理フローの一例として次の手順が挙げられる。即ち、手順を開始して、手順１）間取りへの設計（部位、部屋、意匠部材の入力手段）、手順２）間取りへの柱、梁の配置（柱、梁等構造部材の配置手段）、手順３）配置基準（パターン）との適合性判定（判定プログラム）、手順４）上記判定情報表示して不適合であることを入力者に警告（表示手段）、手順５）間取りの変更や柱、梁の配置変更（入力手段）、手順６）柱、梁の許容応力度計算ＰＧ実行（構造計算プログラム）、手順７）柱、梁の許容応力度が許容範囲内であることを表示（表示手段）、前記手順を経て処理を終了する。
【００８９】
上記の如くして営業マンが顧客と対話しながら各階のプランを組み立てつつ、直交梁と追加柱をパターンを遵守して配置してゆくことで、構造的に略充分な強度を持った軸組構造を実現することが可能である。
【００９０】
そして、営業マンと顧客との間で構成された軸組構造を、正確に設定された鉛直荷重に基づいて計算することで、多少の手直しが必要であるとしても、大幅な設計変更を行うことなく、目的のプランを持った建物を実現することが可能である。
【産業上の利用可能性】
【００９１】
本発明の軸組構造は、一方向の通りを固定するだけで多様なプランを実現することが可能となり、且つ顧客との対話で組み立てたプランに従って直交梁と追加柱を配置してゆく際に、予め設定された直交梁の間隔寸法、追加柱の間隔寸法を遵守することで、そのまま充分な強度を持った軸組構造を実現できるので、構造計算に詳しくない人が利用したときに有利である。
【図面の簡単な説明】
【００９２】
【図１】２階建ての建物に於ける軸組構造を説明する図である。
【図２】複数階建ての建物に設定された追加柱最大間隔寸法のパターンを説明する図である。
【図３】本実施例の軸組構造を持った建物の構成を説明する図である。
【符号の説明】
【００９３】
Ａ、Ｂ              一次フレーム
１、２              梁
３                  柱
５、６              直交梁
７                  追加柱
１１                基礎
２１、２２、２９、３３、３５
部屋
２３                階段
２４                キッチン
２５                水周り
２６                廊下
２７                玄関
２８                ポーチ
３０                吹き抜け
３１                ロッジア
３１ａ              キャンティベランダ
３２                ホール
３６                切り妻屋根
４１                サブグリッド
４２                通し柱
４３、４４          サブグリッド
５１                棟梁
５２                勾配梁
【図１】
2008223226.tif 000003
【図２】
2008223226.tif 000004
【図３】
2008223226.tif 000005